【手続補正書】
【提出日】平成27年7月23日(2015.7.23)
【手続補正１】
【補正対象書類名】明細書
【補正対象項目名】０００２
【補正方法】変更
【補正の内容】
【０００２】
従来、遊技機内に所定数の遊技球を封入し、発射位置（発射装置）から遊技領域に遊技球を発射し、遊技領域を流下した遊技球を回収して再び発射位置に導いて遊技球を循環使用する封入球式遊技機が知られている。
このような封入球式遊技機においては、一つの遊技球を繰り返して遊技に使用するため、遊技球が汚れたりゴミ等が付着したりする可能性が高く、循環経路内の球詰まりや発射する遊技球のむら飛び等の原因となっている。そのため、汚れた遊技球を磨くために、封入球式遊技機に研磨装置（球磨き装置）を備えるようにしたものも考えられている。
従来の研磨装置は研磨布（球磨き部材）により遊技球を揚送しながら磨くようになっていて、布が汚れた際には研磨装置自体を交換するようにしている（例えば、特許文献１参照）。しかし、このように、研磨布が汚れる度に研磨装置を交換するのでは、研磨装置の交換頻度が高くなり、その作業量が多くなってしまうだけでなく、コストがかかるし、研磨装置に使用される資源が無駄になってしまう。
また、封入球式遊技機においてもパチンコ遊技機等の弾球遊技機と同様に遊技領域を覆うクリア部材保持枠に設けられたランプ・ＬＥＤ等の電気的発光源による演出が行われている（例えば、特許文献２参照）。
【手続補正２】
【補正対象書類名】明細書
【補正対象項目名】０００４
【補正方法】変更
【補正の内容】
【０００４】
クリア部材保持枠に設けられた電気的発光源や装飾部材には、遊技領域に設けられる装置や装飾と同様に機種に合わせたデザインが施されたり、各遊技機メーカー独自のデザインが施されたりしている。
しかしながら、封入球式遊技機において、研磨装置などのデザインに重きを置かない装置は、一定以上の性能を有していれば複数若しくは全ての遊技機メーカーで共通化を行うことも可能である。
【手続補正３】
【補正対象書類名】明細書
【補正対象項目名】０００５
【補正方法】変更
【補正の内容】
【０００５】
そこで、本発明は、各遊技機メーカーのデザインによる差別化を図りながらも研磨装置などを共通利用ならびに継続使用可能として、コスト抑制と資源の有効利用とが可能な封入球式遊技機を提供することを目的とする。
【手続補正４】
【補正対象書類名】明細書
【補正対象項目名】０００６
【補正方法】変更
【補正の内容】
【０００６】
以上の課題を解決するため、請求項１に記載の発明は、
島設備に設置される遊技機枠と、
当該遊技機枠に対して開閉可能であるとともに、遊技球を遊技領域に発射するための発射操作を行う発射操作部が配置される前面枠と、
当該前面枠に対して開閉可能であるとともに、遊技盤の前面を覆う透明部材を備え、装飾が施されたガラス枠と、
を備え、
複数の遊技球を封入し、循環経路を介して遊技球を繰り返し遊技に使用するようにした封入球式遊技機において、
前記ガラス枠は、交換可能に構成され、
前記循環経路は、
前記遊技領域内に配置されて遊技球の入賞が可能な入賞口と、
前記遊技領域内に配置されて前記入賞口に入賞しなかった遊技球を受け入れるアウト口と、
前記入賞口に入賞した遊技球及び前記アウト口に入った遊技球を回収し、当該遊技球を前記発射操作部の操作に基づいて発射可能な球発射手段に誘導する球誘導通路と、を備え、
前記球誘導通路は、
前記入賞口に入賞した遊技球と前記アウト口に入った遊技球を回収する使用球回収路と、
前記使用球回収路を通過した遊技球の表面を研磨する研磨装置と、
前記研磨装置によって研磨された遊技球を前記球発射手段に誘導する発射誘導路と、で形成され、
前記研磨装置は、
前記ガラス枠が交換される際にも継続使用可能な部位に設けられていることを特徴とする。
【手続補正５】
【補正対象書類名】明細書
【補正対象項目名】０００７
【補正方法】変更
【補正の内容】
【０００７】
請求項１に記載の発明によれば、研磨装置をガラス枠が交換される際にも継続使用可能な部位に設けることで、オリジナルデザインのガラス枠を用意して封入球式遊技機を構成した場合や、ガラス枠を交換した際にも共通利用や継続使用が可能となり、コスト抑制と資源の有効利用とが可能となる。
【手続補正６】
【補正対象書類名】明細書
【補正対象項目名】０００８
【補正方法】変更
【補正の内容】
【０００８】
請求項２に記載の発明は、請求項１に記載の封入球式遊技機において、
遊技を統括的に制御する遊技制御手段と、
前記遊技制御手段からの指令に応じて、遊技の演出を行う演出装置を制御する演出制御手段と、
前記遊技制御手段からの遊技情報に基づいて、封入されている遊技球に関する情報処理及び前記研磨装置を含む球循環系装置の制御を行う封入球制御手段と、を備え、
前記封入球制御手段は、前記ガラス枠が交換される際にも継続使用可能な部位に設けられていることを特徴とする。
【手続補正７】
【補正対象書類名】明細書
【補正対象項目名】０００９
【補正方法】変更
【補正の内容】
【０００９】
請求項２に記載の発明によれば、封入球制御手段が、ガラス枠が交換される際にも継続使用可能な部位に配置されているので、機種交換のためにガラス枠を取り換えても、封入球制御手段を取り換える必要がない。したがって、機種交換のためにガラス枠を取り換えても共通に利用できる機能である封入球制御手段を無駄にすることがないので、コスト抑制と資源の有効利用とが可能となる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によれば、研磨装置をガラス枠が交換される際にも継続使用可能な部位に設けることで、オリジナルデザインのガラス枠を用意して封入球式遊技機を構成した場合や、ガラス枠を交換した際にも共通利用や継続使用が可能となり、コスト抑制と資源の有効利用とが可能となる。
【手続補正１３】
【補正対象書類名】特許請求の範囲
【補正対象項目名】全文
【補正方法】変更
【補正の内容】
【特許請求の範囲】
【請求項１】
島設備に設置される遊技機枠と、
当該遊技機枠に対して開閉可能であるとともに、遊技球を遊技領域に発射するための発射操作を行う発射操作部が配置される前面枠と、
当該前面枠に対して開閉可能であるとともに、遊技盤の前面を覆う透明部材を備え、装飾が施されたガラス枠と、
を備え、
複数の遊技球を封入し、循環経路を介して遊技球を繰り返し遊技に使用するようにした封入球式遊技機において、
前記ガラス枠は、交換可能に構成され、
前記循環経路は、
前記遊技領域内に配置されて遊技球の入賞が可能な入賞口と、
前記遊技領域内に配置されて前記入賞口に入賞しなかった遊技球を受け入れるアウト口と、
前記入賞口に入賞した遊技球及び前記アウト口に入った遊技球を回収し、当該遊技球を前記発射操作部の操作に基づいて発射可能な球発射手段に誘導する球誘導通路と、を備え、
前記球誘導通路は、
前記入賞口に入賞した遊技球と前記アウト口に入った遊技球を回収する使用球回収路と、
前記使用球回収路を通過した遊技球の表面を研磨する研磨装置と、
前記研磨装置によって研磨された遊技球を前記球発射手段に誘導する発射誘導路と、で形成され、
前記研磨装置は、
前記ガラス枠が交換される際にも継続使用可能な部位に設けられていることを特徴とする封入球式遊技機。
【請求項２】
遊技を統括的に制御する遊技制御手段と、
前記遊技制御手段からの指令に応じて、遊技の演出を行う演出装置を制御する演出制御手段と、
前記遊技制御手段からの遊技情報に基づいて、封入されている遊技球に関する情報処理及び前記研磨装置を含む球循環系装置の制御を行う封入球制御手段と、を備え、
前記封入球制御手段は、前記ガラス枠が交換される際にも継続使用可能な部位に設けられていることを特徴とする請求項１に記載の封入球式遊技機。
【請求項３】
前記球誘導通路は、前記球発射手段によって発射された遊技球が前記遊技領域内に打ち込まれることなく逆流したときに当該遊技球をファール球として回収する未使用球回収路を備え、
前記研磨装置は、前記使用球回収路及び前記未使用球回収路を通過した遊技球の外周表面を研磨することを特徴とする請求項２に記載の封入球式遊技機。